【手続補正書】
【提出日】平成29年9月26日(2017.9.26)
【手続補正１】
【補正対象書類名】特許請求の範囲
【補正対象項目名】全文
【補正方法】変更
【補正の内容】
【特許請求の範囲】
【請求項１】
長手軸方向に沿って伸長する幾何学的プロファイルの形状を有し、前記長手軸に沿って延伸する少なくとも３つの面を有し、当該面は、正面、背面および前記正面と前記背面との間に延伸する下方面を有し、前記少なくとも３つの面の間で内部領域を画成する、クローズド・プロファイルを有するビームを含むブレードであって、前記ブレードは、前記ビームに固定された刃先端を有し、前記ビームの前記下方面を覆い、前記刃先端の下方面は、前記表面形成イクイップメントの使用中に形成されるべき面と接触する、ブレードと、
前記ブレードに結合される近位端と、機動ユニットに取り付けられるように構成された遠位端を有するアタッチメント構造と、
を備える表面形成イクイップメント。
【請求項２】
前記刃先端は、前記ビームの少なくとも前記正面、前記背面および側方エンドにおいて前記ビームの前記下方面を越えて突出する、ことを特徴とする請求項１に記載の表面形成イクイップメント。
【請求項３】
前記刃先端は、前記ビームの前記下方面を完全に覆い、前記ビームの前記下方面の表面積より大きな表面積を有し、かつ、前記ビームの高さより薄い厚さを有する、ことを特徴とする請求項１または２に記載の表面形成イクイップメント。
【請求項４】
前記刃先端は、前記長手軸に沿って面取りされたエッジを有し、その先端部が前記ビームの外側へ突出した状態で、前記面取りされたエッジは鋭角を形成する、ことを特徴とする請求項１から３のいずれか一項に記載の表面形成イクイップメント。
【請求項５】
前記アタッチメント構造は、前記ブレードを前記機動ユニットの正面に取り付けるように構成されており、近位端において互いに係合し、かつ、遠位端において互いから離隔する２つのアームを有する、ことを特徴とする請求項１から４のいずれか一項に記載の表面形成イクイップメント。
【請求項６】
前記ブレードおよび前記アタッチメント構造に結合されたブレード枢動アセンブリを更に備え、前記ブレードは、前記ブレードの長手軸が前記表面形成イクイップメントの進行方向に対して実質的に垂直に方向づけられる直線位置と、前記ブレードの前記長手軸が前記表面形成イクイップメントの進行方向に対して、斜角を画定する複数の傾斜位置との間で、枢動可能となり、前記ブレード枢動アセンブリは、前記長手軸に沿った前記ブレードの中心と実質的にアライメントされ、前記長手軸に対して実質的に垂直方向で、前記ブレードの後方から離れて実質的に垂直に伸長する、前記ブレードの枢動軸の回りに枢動する、ことを特徴とする請求項１から５のいずれか一項に記載の表面形成イクイップメント。
【請求項７】
前記枢動アセンブリは、前記ブレードに固定して載置されかつその後方に延伸する第１ディスク、前記アタッチメント構造の前記近位端におけるサポート面、および、前記第１ディスクが両者の間で伸長した状態で、前記第１ディスクの脱落を防止するべく、前記サポート面に固定された少なくともひとつの固定片を含むターンテーブルシステムを有し、前記第１ディスクが、前記サポート面と前記少なくともひとつの固定片との間で、前記ターンテーブルシステムの中心とアライメントされた前記ブレードの前記枢動軸の回りに枢動することができる、ことを特徴とする請求項６に記載の表面形成イクイップメント。
【請求項８】
前記ビームの内部に画成された前記内部体積は、実質的に空であり、前記ビームは、前記少なくとも３つの面のうち２つの面の間で前記内部体積内に伸長する少なくともひとつの補強部材を含む内部補強構造を有する、ことを特徴とする請求項１から７のいずれか一項に記載の表面形成イクイップメント。
【請求項９】
前記ビームは、高さの少なくとも７倍の長さを有し、かつ、高さより小さい深さを有する、ことを特徴とする請求項１から８のいずれか一項に記載の表面形成イクイップメント。
【請求項１０】
前記ビームの前記正面および前記背面の少なくともひとつは凹面形状である、ことを特徴とする請求項１から９のいずれか一項に記載の表面形成イクイップメント。
【請求項１１】
前記ブレードは、主要部、および、前記主要部の一端に枢着された少なくともひとつの側方ウイングを有し、前記２つの側方ウイングの各々は、前記ビームの上部において、前記主要部のそれぞれの端部に載置されたウイング枢動アセンブリを有する、ことを特徴とする請求項１から１０のいずれか一項に記載の表面形成イクイップメント。
【請求項１２】
長手軸に沿って伸長する幾何学的形状のプロファイルを有し、前記長手軸に沿って延伸する少なくとも３つの面を有し、当該３つの面は、正面、背面およびこれらの面の間に延伸する下方面を含み、かつ、これらの面の間で内部体積を画定するクローズド・プロファイルを有するビームと、
前記ビームに固定され、かつ、前記ビームの前記下方面を覆う刃先端と
を備え、
前記刃先端の前記下方面は、表面形成イクイップメントの使用中に形成される面と接触する、ことを特徴とする表面形成イクイップメント。
【請求項１３】
前記刃先端は、前記ビームの前記正面、前記背面および側方エンドの少なくともひとつにおいて、前記ビームの前記下方面を越えて突出する、ことを特徴とする請求項１２に記載の表面形成イクイップメント。
【請求項１４】
前記刃先端は、前記ビームの前記下方面を完全に覆い、前記ビームの前記下方面の表面積より大きな表面積を有し、前記刃先端の前記下方面は実質的に平坦である、ことを特徴とする請求項１２または１３に記載の表面形成イクイップメント。
【請求項１５】
前記刃先端は、前記長手軸に沿って面取りされたエッジを有し、その先端部が前記ビームの外側へ突出した状態で、前記面取りされたエッジは鋭角を形成する、ことを特徴とする請求項１２から１４のいずれか一項に記載の表面形成イクイップメント。
【請求項１６】
前記刃先端は、前記ビームの高さより小さい厚さを有し、前記ビームの内部に画成された前記内部体積は、実質的に空であり、かつ、前記少なくとも３つの面のうち２つの面の間で前記内部体積内に伸長する少なくともひとつの補強部材を含む内部補強構造を有し、前記ビームは、高さの少なくとも７倍の長さを有し、かつ、高さより小さい深さを有する、ことを特徴とする請求項１２から１５のいずれか一項に記載の表面形成イクイップメント。
【請求項１７】
請求項１２から１６のいずれか一項に記載の表面形成イクイップメントであって、
前記ブレードに結合された近位端および機動ユニットに取り付けられるように構成された遠位端を有するアタッチメント構造と、
前記ブレードおよび前記アタッチメント構造に取り付けられたブレード枢動アセンブリであって、前記ブレードは、前記ブレードの長手軸が前記表面形成イクイップメントの移動方向に対して実質的に垂直に方向付けられるところの直線位置と、前記ブレードの前記長手軸が前記表面形成イクイップメントの移動方向に対して斜角を画成するところの複数の傾斜位置との間で枢動可能となる、ブレード枢動アセンブリをさらに備える、ことを特徴とする表面形成イクイップメント。
【請求項１８】
地上面での牽引のポイントを有する機動ユニットであって、請求項１から１１のいずれか一項に記載の表面形成イクイップメントを備え、前記刃先端のひとつの前記下方面によってそれに取り付けられ、前記ビームは、前記機動ユニットの地上面での前記牽引のポイントと同じ面にある、ことを特徴とする機動ユニット。
【請求項１９】
地上面での牽引のポイントを有する機動ユニットであって、請求項１２から１７のいずれか一項に記載の表面形成イクイップメントを備え、前記刃先端のひとつの前記下方面によってそれに取り付けられ、前記ビームは、前記機動ユニットの地上面での前記牽引のポイントと同じ面にある、ことを特徴とする機動ユニット。
【請求項２０】
電動式表面形成イクイップメントであって、
地面と接触するための牽引面を有する電動ユニットと、
前記電動ユニットに設置された請求項１から１１のいずれか一項に記載の表面形成イクイップメントと
を備え、
前記表面形成イクイップメントの前記刃先端の前記下方面および前記電動ユニットの前記牽引面は実質的に同じ面にある、ことを特徴とする電動式表面形成イクイップメント。
【請求項２１】
電動式表面形成イクイップメントであって、
地面と接触するための牽引面を有する電動ユニットと、
前記電動ユニットに設置された請求項１２から１７のいずれか一項に記載の表面形成イクイップメントと
を備え、
前記表面形成イクイップメントの前記刃先端の前記下方面および前記電動ユニットの前記牽引面は実質的に同一面にある、ことを特徴とする電動式表面形成イクイップメント。
【請求項２２】
前記刃先端の前記下方面は、実質的に平坦である、ことを特徴とする請求項１から１１のいずれか一項に記載の表面形成イクイップメント。
【請求項２３】
前記刃先端の前記下方面は、実質的に平坦である、ことを特徴とする請求項１２から１７のいずれか一項に記載の表面形成イクイップメント。
【請求項２４】
電動式表面形成イクイップメントであって、
地面に接触するための牽引面を有する電動ユニットと、
前記電動ユニットに固定可能であり、かつ、前記地面に接触する下方面を有する表面形成イクイップメントと
を備え、
前記表面形成イクイップメントの前記下方面および前記電動ユニットの前記牽引面は、一緒に固定されたとき、実質的に同じ面にある、電動式表面形成イクイップメント。
【請求項２５】
前記表面形成イクイップメントは、前記ブレードに結合された近位端および前記電動ユニットに取り付けられるように構成された遠位端を有するアタッチメント構造をさらに備え、前記アタッチメント構造により、前記電動ユニットに対する前記表面形成イクイップメントの高さが調節可能である、ことを特徴とする請求項２４に記載の電動式表面形成イクイップメント。
【請求項２６】
前記表面形成イクイップメントは、長手軸および下方面を有する延伸ビーム、および、前記ビームの前記下方面に固定され、それを覆う刃先端を含むブレードをさらに備え、前記刃先端は、前記表面形成イクイップメントの使用中に形成される面と接触する実質的に平坦な下方面を有し、前記刃先端の前記実質的に平坦な下方面は、前記ビームの前記下方面を通過して、前方および後方の少なくとも一方に伸長する、ことを特徴とする請求項２４または２５に記載の電動式表面形成イクイップメント。